(57)【要約】光情報保存媒体は、リードイン領域、リードアウト領域及び前記リードイン領域とリードアウト領域との間に形成され、ユーザデータが記録されるユーザ領域を含む。前記リードイン領域、ユーザ領域及びリードアウト領域にピットが形成され、前記リードイン領域の全体または一部領域の隣接したトラック間の第１トラックピッチが、光情報保存媒体の残りの領域の隣接したトラック間の第２トラックピッチと異なって構成される。
2005538488.tif 000002
【特許請求の範囲】
【請求項１】
リードイン領域と、
リードアウト領域と、
前記リードイン領域とリードアウト領域との間に形成され、ユーザデータが記録されるユーザ領域とを含み、
前記リードイン領域、ユーザ領域及びリードアウト領域にピットが形成され、
前記リードイン領域の全体または一部領域の隣接したトラック間の第１トラックピッチが、光情報保存媒体の残りの領域の隣接したトラック間の第２トラックピッチと異なって構成されたことを特徴とする光情報保存媒体。
【請求項２】
前記第１トラックピッチが、第２トラックピッチに比べて大きいことを特徴とする請求項１に記載の光情報保存媒体。
【請求項３】
前記リードイン領域に保存媒体関連情報が記録される第１サブ領域及び複写防止情報が記録される第２サブ領域が含まれ、前記少なくとも一つのサブ領域でのトラックピッチが第１トラックピッチであることを特徴とする請求項２に記載の光情報保存媒体。
【請求項４】
第２トラックピッチを有する領域から検出されたトラッキングエラー信号に対する、第１トラックピッチを有する第１及び第２サブ領域のうち少なくとも一つから検出されたトラッキングエラー信号の比が１.５以上であることを特徴とする請求項３に記載の光情報保存媒体。
【請求項５】
第２トラックピッチを有する領域から検出された位相差トラッキングエラー信号に対する、第１トラックピッチを有する第１及び第２サブ領域のうち少なくとも一つから検出された位相差トラッキングエラー信号の比が１.５以上であることを特徴とする請求項４に記載の光情報保存媒体。
【請求項６】
前記リードイン領域に保存媒体関連情報が記録される第１サブ領域及び複写防止情報が記録される第２サブ領域が含まれ、前記第１及び第２サブ領域のうち少なくとも一つのトラックピッチが、第２トラックピッチに比べて大きい第１トラックピッチであることを特徴とする請求項１に記載の光情報保存媒体。
【請求項７】
第２トラックピッチを有する領域から検出されたトラッキングエラー信号に対する、第１トラックピッチを有する第１及び第２サブ領域のうち少なくとも一つから検出されたトラッキングエラー信号の比が１.５以上であることを特徴とする請求項６に記載の光情報保存媒体。
【請求項８】
第２トラックピッチを有する領域から検出された位相差トラッキングエラー信号に対する、第１トラックピッチを有する第１及び第２サブ領域のうち少なくとも一つから検出された位相差トラッキングエラー信号の比が１.５以上であることを特徴とする請求項７に記載の光情報保存媒体。
【請求項９】
一層以上の記録面を有することを特徴とする請求項１に記載の光情報保存媒体。
【請求項１０】
トラックにデータを記録するための光情報保存媒体であって、
第１データが対応する第１トラックに記録され、隣接する一対の第１トラックが第１トラックピッチを有する第１領域と、
第２データが対応する第２トラックに記録され、隣接する一対の第２トラックが前記第１トラックピッチと異なる第２トラックピッチを有する第１領域とを含むことを特徴とする光情報保存媒体。
【請求項１１】
前記第１領域は、光情報保存媒体のリードイン領域内にあることを特徴とする請求項１０に記載の光情報保存媒体。
【請求項１２】
前記リードイン領域は、付加的なトラックに記録される付加データを含み、前記隣接する付加トラックは、第１トラックピッチと異なるトラックピッチを有することを特徴とする請求項１１に記載の光情報保存媒体。
【請求項１３】
前記他のトラックピッチは、第２トラックピッチであることを特徴とする請求項１２に記載の光情報保存媒体。
【請求項１４】
前記第１データは、第２データの再生に使われた情報を含むことを特徴とする請求項１１に記載の光情報保存媒体。
【請求項１５】
前記第１データは、第２データの再生に使われる情報を含むことを特徴とする請求項１０に記載の光情報保存媒体。
【請求項１６】
前記第２領域は、光情報保存媒体のユーザデータ領域を含むことを特徴とする請求項１０に記載の光情報保存媒体。
【請求項１７】
前記第１データは、第２データの再生に使われる情報を含むことを特徴とする請求項１６に記載の光情報保存媒体。
【請求項１８】
前記第２領域は、前記ユーザデータ領域の外側に位置するリードイン領域を含み、前記リードアウト領域は、前記第２データと異なる付加データを含むことを特徴とする請求項１６に記載の光情報保存媒体。
【請求項１９】
前記第１領域は、リードイン領域の一部にあり、第２領域は、リードイン領域の他の部分を含むことを特徴とする請求項１７に記載の光情報保存媒体。
【請求項２０】
前記第２領域は、前記ユーザデータ領域の外側に位置したリードアウト領域を含み、前記リードアウト領域は、第２データと異なる付加データを含むことを特徴とする請求項１９に記載の光情報保存媒体。
【請求項２１】
光情報保存媒体についてのデータを光学的に伝送する装置において、前記装置は、
前記光情報保存媒体の第１領域にある第１トラックについての第１データを伝送し、前記第１領域と異なる光情報保存媒体の第２領域の第２トラックについての第２データを伝送するための光学ユニットと、
前記対応する第１及び第２領域についての第１及び第２データを伝送するために光学ユニットを制御するための制御部とを含み、
前記一対の隣接する第１トラックは、第１ピッチを有し、
前記一対の隣接する第２トラックは、第１トラックピッチと異なる第２トラックピッチを有することを特徴とする装置。
【請求項２２】
前記第１領域は、光情報保存媒体のリードイン領域内にあることを特徴とする請求項２１に記載の装置。
【請求項２３】
前記リードイン領域は、付加トラックに記録され、前記隣接する一対の付加トラックは、第１トラックピッチと異なるトラックピッチを有することを特徴とする請求項２２に記載の装置。
【請求項２４】
前記他のトラックピッチは、第２トラックピッチであることを特徴とする請求項２３に記載の装置。
【請求項２５】
前記第１データは、前記第２データの再生に、制御部によって使われる情報を含むことを特徴とする請求項２１に記載の装置。
【請求項２６】
前記制御部は、光情報保存媒体についての第１及び／または第２データを伝送する時、トラッキングを行うために差信号を使用し、
前記第１トラックに記録された第１データから検出された第１差信号が、第２トラックに記録された第２データから検出された第２差信号と異なることを特徴とする請求項２１に記載の装置。
【請求項２７】
前記第２領域は、前記光情報保存媒体のユーザデータ領域を含み、第２データは、制御部がユーザデータ領域に再生及び／または記録するユーザデータであることを特徴とする請求項２１に記載の装置。
【請求項２８】
前記第２領域は、ユーザデータ領域の外側に配置されたリードアウト領域を含み、前記リードアウト領域は、第２データと異なる付加データを含むことを特徴とする請求項２７に記載の装置。
【請求項２９】
前記第２領域は、ユーザデータ領域の外側に配置されたリードアウト領域を含み、リードアウト領域は、第２データと異なる付加データを含むことを特徴とする請求項２７に記載の装置。
【請求項３０】
前記第１領域は、リードイン領域の一部にあり、
前記第２領域は、リードイン領域の他の部分を含むことを特徴とする請求項２８に記載の装置。
【請求項３１】
前記第２領域は、前記ユーザデータ領域の外側に配置されたリードアウト領域を含み、リードアウト領域は、第２データと異なる付加データを含むことを特徴とする請求項３０に記載の装置。
【発明の詳細な説明】
【技術分野】
【０００１】
本発明は、光情報保存媒体に係り、リードイン領域の全体または一部領域のトラックピッチが残りの領域のトラックピッチと異なって構成されて、保存媒体と関連した重要な情報の再生信頼性を改善可能にした光情報保存媒体に関する。
【背景技術】
【０００２】
一般的に、光情報保存媒体、例えば、光ディスクは、非接触式で情報を記録／再生する光ピックアップ装置の情報保存媒体として広く採用され、情報記録容量によってコンパクトディスク（ＣＤ）、デジタル多機能ディスク（ＤＶＤ）に区分される。そして、情報の記録、消去及び再生が可能な光ディスクとして、６５０ＭＢ  ＣＤ−Ｒ、ＣＤ−ＲＷ、４.７ＧＢ  ＤＶＤ＋Ｒ／ＲＷ、ＤＶＤ−ＲＡＭ、ＤＶＤ−Ｒ／ＲＷがあり、再生専用ディスクとして６５０ＭＢ  ＣＤ、４.７ＧＢ  ＤＶＤ−ＲＯＭがある。さらに、記録容量が２０ＧＢ以上である高密度光ディスク（ＨＤ−ＤＶＤ）も開発されている。
【０００３】
前記のような光情報保存媒体は、記録容量を増加させるために色々な方案が摸索されている。光情報保存媒体において、記録容量を増加させうる方法のうち一つは、光情報保存媒体に結ばれる光スポットのサイズを小さくすることである。光スポットのサイズを小さくするためには、レーザ光源の波長を短くするか、または対物レンズの開口数を大きくせねばならない。そして、光情報保存媒体のトラックピッチを減少させねばならない。トラックピッチとは、何れか一トラックの中心線から隣接するトラックの中心線までの最短距離を表す。
【０００４】
図１は、従来のＤＶＤ−ＲＯＭ  １１０のディスク構造を示す図である。このＤＶＤ−ＲＯＭ  １１０のディスクは、ユーザデータが記録されるユーザ領域１０５を含む。リードイン領域１００は、ユーザ領域１０５の内周側に備えられる。リードアウト領域１１０は、ユーザ領域１０５の外周側に備えられる。リードイン領域１００、ユーザ領域１０５及びリードアウト領域１１０には、データがいずれもドットよりなり、全ての領域のトラックピッチが０.７４μｍでなされている。
【０００５】
記録容量を増やすために、トラックピッチが減少する傾向がある。しかし、トラックピッチが減少する時、光スポットが隣接するトラックまで結ばれて、クロストルクが発生する可能性が高まる。それにより、トラックピッチが減少する時、再生信号に異常が生じる可能性が増加する。
【０００６】
特に、データの記録／再生に重要な役割を行う情報が記録された領域でかかる不良再生となる場合、ディスクの記録／再生性能に及ぼす影響は致命的になる恐れがある。したがって、保存媒体の記録容量が増加する趨勢に対応してトラックピッチを調節すると共に、データの重要度によってトラックピッチを異なって構成する必要がある。
【発明の開示】
【発明が解決しようとする課題】
【０００７】
本発明は、前記問題点を解決するために案出されたものであって、ディスクと関連した重要情報が記録される領域でのトラックピッチを、ユーザデータが記録される領域のトラックピッチと異なって構成して、データの再生性能及び信頼性を向上させる光情報保存媒体を提供するのにその目的がある。
【０００８】
本発明の他の目的及び利点は、次の詳細な説明に部分的に説明され、部分的には詳細な説明から明白であるか、または本発明の実施によって得られうる。
【課題を解決するための手段】
【０００９】
前記目的を達成するために本発明による光情報保存媒体は、リードイン領域と、リードアウト領域と、前記リードイン領域とリードアウト領域との間に形成され、ユーザデータが記録されるユーザ領域とを含み、前記リードイン領域、ユーザ領域及びリードアウト領域にピットが形成され、前記リードイン領域の全体または一部領域の隣接したトラック間の第１トラックピッチが、光情報保存媒体の残りの領域の隣接したトラック間の第２トラックピッチと異なって構成されたことを特徴とする。
【００１０】
前記第１トラックピッチが、第２トラックピッチに比べて大きいことが望ましい。
【００１１】
前記リードイン領域に保存媒体関連情報が記録される領域及び複写防止情報が記録される領域が含まれる。
【００１２】
前記第１トラックピッチが、第２トラックピッチに比べて大きいことが望ましい。
【００１３】
第２トラックピッチを有する領域から検出されたトラッキングエラー信号に対する、第１トラックピッチを有する第１及び第２サブ領域のうち少なくとも一つから検出されたトラッキングエラー信号の比が１.５以上であることが望ましい。
【発明を実施するための最良の形態】
【００１４】
本発明の望ましい実施例について詳細に参照番号が作られ、添付された図面に紹介された例は、類似した要素について類似した参照番号を参照する。図面を参照して、本発明を説明するために実施例が記述される。
【００１５】
本発明による光情報保存媒体１０００は、図２を参照するに、ユーザデータ領域１５と、ユーザデータ領域１５及びリードイン領域１０の内周側に備えられたリードイン領域１０と、ユーザデータ領域１５の外周側に備えられたリードアウト領域２０と、を含む。リードイン領域１０の全体または一部領域の第１トラックピッチが、ユーザデータとリードアウト領域１５，２０とを含む光情報保存媒体１０００の他の残りの領域の第２トラックピッチと異なって構成される。
【００１６】
リードイン領域１０には、保存媒体の再生において重要なデータが記録される領域が備えられる。例えば、重要なデータは、領域１０ａに記録される光情報保存媒体関連情報を含み、領域１０ｂに記録される記録防止情報を含む。保存媒体関連情報としては、例えば、記録可能型ディスク、追記型ディスク、再生専用ディスクのような保存媒体の種類についての情報、記録層数についての情報、記録速度情報、ディスクサイズ情報のようなものがある。
【００１７】
保存媒体関連情報領域１０ａ及び記録防止情報領域１０ｂのうち少なくとも一領域のトラックピッチが、領域１０ａ，１０ｂを除外した残りの他の領域の第２トラックピッチより大きい第１トラックピッチであることが望ましいが、必ずしも要求されるものではない。これ以外にも、保存媒体の再生と関連した重要な情報がさらにあり、リードイン領域１０の全体の第１トラックピッチが他の領域の第２トラックピッチに比べて大きく形成されることもある。
【００１８】
本発明による光情報保存媒体は、再生専用保存媒体に適用されうる。リードイン領域１０、ユーザ領域１５及びリードアウト領域２０に全体的にピットが形成される。ピットは、再生専用光情報保存媒体１０００の製造時、基板にあらかじめ形成される。このように光情報保存媒体の全領域に記録されるデータをピットで記録すれば、リードイン領域１０とユーザデータ領域１５とに工程の中断なしにピットを形成できるので、製造工程が簡単になり、工程時間を短縮できる。
【００１９】
一方、ピットを利用してトラッキングを行う方法のうち一つが位相差検出（ＤＰＤ：Ｄｉｆｆｅｒｅｎｔｉａｌ  Ｐｈａｓｅ  Ｄｅｔｅｃｔ）法である。ＤＰＤ法は、例えば、４分割光検出器に結ばれる光スポットの位相差によってトラッキングサーボを具現する方法であって、既に広く公知されたものであるので、ここでは、その詳細な説明を省略する。ＤＰＤ法によれば、トラックピッチが異なる時、トラッキングエラー信号、すなわち、位相差トラッキングエラー信号も異なる。例えば、図３Ａにトラックピッチが０.３２μｍである時に検出されたＤＰＤ信号が示され、図３Ｂにトラックピッチが０.３５μｍである時に検出されたＤＰＤ信号がそれぞれ示されている。ここで、同じ再生パワーに対して、トラックピッチ０.３２μｍでの位相差トラッキングエラー信号の振幅が約１.４６Ｖであり、トラックピッチ０.３５μｍに対しては、約２.３１Ｖである。トラックピッチが大きい時の位相差トラッキングエラー信号の振幅が、トラックピッチが小さい時のトラッキングエラー信号の振幅に比べて、約１.５８倍大きい。これから分かるように、トラックピッチが大きいほどトラックキングエラー信号が大きく検出され、トラッキングエラー信号が大きいほどエラー検出性能が向上するので、再生性能及び信頼性が向上する。
【００２０】
前記シミュレーション結果によって、保存媒体関連情報領域１０ａまたは複写防止情報領域１０ｂのトラックピッチＴＰをIとし、残りの他の領域のトラックピッチＴＰをIIとする時、各トラックピッチに対するトラッキングエラー信号、特に、位相差トラッキングエラー信号の比率が１.５以上となることが望ましい。これを数式で表すと、次の式（１）の通りである。
【００２１】
【数１】
2005538488.tif 000003
本発明による光情報保存媒体は、一層以上の記録面を有する光情報保存媒体に適用可能である。すなわち、複数層の記録面を有する場合に、各層のリードイン領域の一部または全体領域のトラックピッチを、残りの他の領域のトラックピッチに比べて大きく形成する。このように、リードイン領域で重要な情報が記録される領域のトラックピッチを他の領域のトラックピッチより大きく形成することによって、重要な情報についての再生信頼性を高めうる。
【００２２】
情報保存媒体は、ＣＤ−Ｒｓ、ＣＤ−ＲＷｓ、ＤＶＤ−ＲＡＭｓ、ＤＶＤ＋ＲＷｓだけでなく、ブルーレイディスク及びＡＯＤ（Ａｄｖａｎｃｅｄ  Ｏｐｔｉｃａｌ  Ｄｉｓｃ）のような次世代高密度ＤＶＤｓを含む。また、情報保存媒体は、リードイン領域及び／またはリードアウト領域を含む必要がない情報保存媒体でありうる。
【００２３】
図４は、本発明の実施例による記録及び／または再生装置のブロックダイヤグラムである。図４を参照するに、記録装置は、記録／再生ユニット１００１、制御部１００２、及びメモリ１００３を含む。記録／再生ユニット１００１は、本発明の情報保存媒体１０００の実施例であるディスク１０００に／からデータを記録／再生する。制御部１００２は、図２ないし図３Ｂと関連して、前述したように、本発明による第１及び第２トラックピッチを有するトラックピッチに／からデータを記録／再生する。
【００２４】
全ての面で要求されるものではないが、制御部１００２は、コンピュータ再生可能な媒体にエンコーディングされたコンピュータプログラムを使用する方法を実行するコンピュータでありうる。前記コンピュータは、ファームウェアを有するチップで実行され、かつ前記方法を実現するためにプログラム化できる汎用のまたは特殊な目的のコンピュータでありうる。
【００２５】
また、数十ギガバイトの記録容量を達成するために、記録／再生ユニット１００１は、ディスク１０００に数十ギガバイトのデータを記録するのに使用可能な低波長、高開口数タイプのユニットを含みうる。このようなユニットのサンプルは、これらに限定されるものではないが、０.８５開口数、４０５ｎｍ波長の光を使用するユニットを含み、このようなユニットは、ブルーレイディスク及び／またはＡＯＤと互換可能である。
【００２６】
本発明の幾つかの実施例が図示されて説明されたが、当業者によって本発明の原理及び思想から逸脱しない範囲で、本実施例での変更が可能であり、その範囲は、特許請求の範囲及びその均等範囲によって決定される。
【産業上の利用可能性】
【００２７】
本発明による光情報保存媒体は、リードイン領域の保存媒体関連情報領域または複写防止情報領域のような重要な情報が記録される領域のトラックピッチを、それ以外の他の領域のトラックピッチより大きく構成して、重要な情報の再生において、隣接トラックのクロストルクによる信号の劣化なしに信頼できるデータ再生を可能にするものである。
【図面の簡単な説明】
【００２８】
【図１】従来のＤＶＤ−ＲＯＭディスクの概略的な構造を示す図である。
【図２】本発明による光情報保存媒体の概略的な構造を示す図である。
【図３Ａ】トラックピッチが０.３２μｍである時の位相差トラッキングエラー信号（ＤＰＤ信号）を示す図である。
【図３Ｂ】トラックピッチが０.３５μｍである時の位相差トラッキングエラー信号（ＤＰＤ信号）を示す図である。
【図４】本発明の実施例による記録及び／または再生装置のブロックダイヤグラムである。
【図１】
2005538488.tif 000004
【図２】
2005538488.tif 000005
【図３Ａ】
2005538488.tif 000006
【図３Ｂ】
2005538488.tif 000007
【図４】
2005538488.tif 000008
【国際調査報告】
2005538488.tif 000009